(57)【要約】【課題】高齢者やリウマチ患者などの手が不自由な使用者であっても、容易に開封することができ利便性が高い医療用具包装体を提供する。【解決手段】開口部を有し、医療用具を収容する胴部を含むボトム材と、開口部を覆ってボトム材に接着されるトップ材とを有し、ボトム材は、胴部の側面の底面側に形成され、側面から離間する方向に突出する第１のツバ部を有し、トップ材は、第１のツバ部と同じ方向に突出する第２のツバ部を有する、ことにより上記課題を解決する。【選択図】図１
2015112256.tif 000002
【特許請求の範囲】
【請求項１】
医療用具を包装する医療用具包装体であって、
開口部を有し、前記医療用具を収容する胴部を含むボトム材と、
前記開口部を覆って前記ボトム材に接着されるトップ材とを有し、
前記トップ材は、前記ボトム材の前記胴部の側面から離間する方向に突出する第１のツバ部を有し、
前記ボトム材は、前記胴部の側面の底面側の位置に形成され、前記第１のツバ部の突出方向と同じ方向に突出する第２のツバ部を有することを特徴とする医療用具包装体。
【請求項２】
前記第１のツバ部は、前記トップ材を前記ボトム材から剥離する際に利用される孔を有する請求項１に記載の医療用具包装体。
【請求項３】
前記ボトム材の前記第２のツバ部の表面に、滑り止め部を有する請求項１または２に記載の医療用具包装体。
【請求項４】
前記胴部は、上面が開口した有底筒形状であり、
前記胴部の内部には、前記医療用具を固定する内容物固定部を有する請求項１〜３のいずれか１項に記載の医療用具包装体。
【請求項５】
前記胴部の側面に、底面に平行な方向に延在する把持用凹部を有する請求項１〜４のいずれか１項に記載の医療用具包装体。
【請求項６】
前記トップ材は、前記医療用具を支持する内容物支持部を有する請求項１〜５のいずれか１項に記載の医療用具包装体。
【請求項７】
前記内容物支持部は、前記ボトム材の内側底面に重なるように、前記トップ材から突出して形成される板状物であり、前記トップ材を前記ボトム材から剥離する際に、支持している前記医療用具を前記ボトム材の外側に迫り出させるものである請求項６に記載の医療用具包装体。
【発明の詳細な説明】
【技術分野】
【０００１】
本発明は、医療用具を包装する医療用具包装体に関するものである。
【背景技術】
【０００２】
従来、シリンジやカテーテル等の医療用具を輸送する際に、輸送時の振動や衝撃により医療用具が破損するのを防止し、また、医療用具を衛生的に保つため、医療用具を包装する医療用具包装体が用いられている。
【０００３】
医療用具包装体は、医療用具を収容する容器と、容器の開口部に剥離可能に接着され封止する蓋材（封止フィルム等）とを有してなり、医療用具を使用する際に、蓋材を容器から剥離して、医療用具を取出す。
ここで、内容物を確実に包装するためには、容器と蓋材とを強固に接着する必要があるが、容器と蓋材とが強固に接着されていると、開封し難くなり利便性が低下するという問題があった。
【０００４】
そのため、一般的な包装容器において、蓋材の接着強度や接着領域の形状等を調整して、開封しやすくすることが行われている（例えば、特許文献１）。
【先行技術文献】
【特許文献】
【０００５】
【特許文献１】特開２００２−１２０８６９号公報
【発明の概要】
【発明が解決しようとする課題】
【０００６】
ここで、高齢者やリウマチ患者などの手が不自由な方が自己注射等のために、包装体に包装された医療用具を使用する場合がある。
高齢者やリウマチ患者などの手が不自由な使用者が包装体を開封する場合には、蓋材の接着強度や接着領域の形状等を調整した包装容器であっても、開封することは容易ではないという問題があった。
【０００７】
本発明の目的は、上記従来技術の問題点を解消し、高齢者やリウマチ患者などの手が不自由な使用者であっても、容易に開封することができ利便性が高い医療用具包装体を提供することにある。
【課題を解決するための手段】
【０００８】
本発明者らは、上記課題を達成すべく鋭意研究した結果、トップ材は、ボトム材の胴部の側面から離間する方向に突出する第１のツバ部を有し、ボトム材は、胴部の側面の底面側の位置に形成され、第１のツバ部の突出方向と同じ方向に突出する第２のツバ部を有することによって、高齢者やリウマチ患者などの手が不自由な使用者であっても、容易に開封することが可能となることを見出し、本発明を完成させた。
すなわち、本発明は、以下の構成の医療用具包装体を提供する。
【０００９】
（１）  医療用具を包装する医療用具包装体であって、開口部を有し、医療用具を収容する胴部を含むボトム材と、開口部を覆ってボトム材に接着されるトップ材とを有し、トップ材は、ボトム材の胴部の側面から離間する方向に突出する第１のツバ部を有し、ボトム材は、胴部の側面の底面側の位置に形成され、第１のツバ部の突出方向と同じ方向に突出する第２のツバ部を有する医療用具包装体。
【００１０】
（２）  第１のツバ部は、トップ材をボトム材から剥離する際に利用される孔を有する（１）に記載の医療用具包装体。
（３）  ボトム材の第２のツバ部の表面に、滑り止め部を有する（１）または（２）に記載の医療用具包装体。
（４）  胴部は、上面が開口した有底筒形状であり、胴部の内部には、医療用具を固定する内容物固定部を有する（１）〜（３）のいずれかに記載の医療用具包装体。
（５）  胴部の側面に、底面に平行な方向に延在する把持用凹部を有する（１）〜（４）のいずれかに記載の医療用具包装体。
（６）  トップ材は、医療用具を支持する内容物支持部を有する（１）〜（５）のいずれかに記載の医療用具包装体。
（７）  内容物支持部は、ボトム材の内側底面に重なるように、トップ材から突出して形成される板状物であり、トップ材をボトム材から剥離する際に、支持している医療用具をボトム材の外側に迫り出させるものである（６）に記載の医療用具包装体。
【００１１】
さらに、本発明の医療用具包装体は、好ましい態様として、以下の構成を有する。
【００１２】
（８）  胴部の側面に、滑り止め部を有する（１）〜（７）のいずれかに記載の医療用具包装体。
（９）  胴部の開口部側に、蛇腹形状に変形可能な蛇腹部を有する（１）〜（８）のいずれかに記載の医療用具包装体。
（１０）  トップ材は、ボトム材側の表面に、ボトム材の開口部と略同等の外径を有する筒状の蛇腹支持部を有し、蛇腹支持部は、蛇腹部に応じた位置に配置され、蛇腹部の伸縮を抑制する（９）に記載の医療用具包装体。
（１１）  胴部の開口部が、胴部の上面および第２のツバ部とは反対側の側面の一部に形成されたものである（１）〜（１０）のいずれかに記載の医療用具包装体。
（１２）  開口部が、胴部の上面から側面の底面側にかけて形成されたものである（１１）に記載の医療用具包装体。
【発明の効果】
【００１３】
本発明によれば、高齢者やリウマチ患者などの手が不自由な使用者であっても、容易に開封することができ利便性が高い医療用具包装体を提供することができる。
【図面の簡単な説明】
【００１４】
【図１】（Ａ）および（Ｂ）は、本発明の医療用具包装体の一実施形態を概念的に示す斜視図であり、（Ｃ）は、（Ａ）のＢ−Ｂ線断面斜視図である。
【図２】（Ａ）は、図１（Ａ）に示す医療用具包装体の医療用具を包装した状態を示す概略断面斜視図であり、（Ｂ）は、（Ａ）の上面図である。
【図３】（Ａ）は、本発明の医療用具包装体の他の一例を概念的に示す斜視図であり、（Ｂ）は、（Ａ）のＣ−Ｃ線断面斜視図であり、（Ｃ）は、（Ａ）の開封後の状態を示す概略断面図である。
【図４】（Ａ）は、本発明の医療用具包装体の他の一例を概念的に示す斜視図であり、（Ｂ）は、（Ａ）の開封後の状態を示す斜視図である。
【図５】（Ａ）は、本発明の医療用具包装体の他の一例を概念的に示す断面斜視図であり、（Ｂ）は、（Ａ）の開封後の状態を示す概略断面図である。
【発明を実施するための形態】
【００１５】
本発明に係る医療用具包装体を、添付の図面に示す好適実施形態に基づいて以下に詳細に説明する。
図１（Ａ）および図１（Ｂ）は、本発明に係る医療用具包装体（以下、「包装体」ともいう）の一実施形態の概略を示す斜視図であり、図１（Ｃ）は、図１（Ａ）のＢ−Ｂ線断面斜視図である。また、図２（Ａ）は、医療用具を収容した状態の包装体の断面斜視図であり、図２（Ｂ）は、図２（Ａ）の上面図である。
なお、図１（Ｄ）および図２（Ｂ）では、トップ材１６の図示を省略している。
【００１６】
図１（Ａ）および図１（Ｂ）に示すように、医療用具包装体１０は、胴部２０および第２のツバ部２２とを有するボトム材１４と、シール部２４および第１のツバ部２６とを有するトップ材１６とを有する。
包装体１０は、ボトム材１４の胴部２０に医療用具を収容し、胴部２０の開口部２０ｃをトップ材１６のシール部２４で封止して、医療用具を包装するものである。
本発明の包装体１０は、ボトム材１４およびトップ材１６がそれぞれツバ部を有し、かつ、各ツバ部の突出方向が同じであることを特徴とする。
【００１７】
なお、本発明の包装体１０が包装する医療用具には、特に限定はないが、シリンジ、カテーテルなどの医療用具や、プレフィルドシリンジなど医薬品を収納した医療用具の包装に利用可能である。
【００１８】
ボトム材１４は、医療用具１２を収容する胴部２０と、胴部２０の底面側の側面に形成される第２のツバ部２２とを有する。
ボトム材１４（胴部２０、第２のツバ部２２）の材質には、特に限定はなく、従来、医療用具の包装体に用いられる樹脂等の、種々の公知の材料が利用可能である。また、胴部２０の材料と第２のツバ部２２の材質とは同じであっても異なっていてもよい。
【００１９】
胴部２０は、上面が開放された有底筒状の部材である。
上面の開口部２０ｃ（図２（Ｂ）参照）は、医療用具１２の収納、取り出しを行うのに十分な大きさを有している。
また、図２（Ａ）に示すように、胴部２０の内部には、医療用具１２を収容するのに十分な大きさの空間を有している。また、胴部２０の高さは、使用者が手で把持できる高さである。
なお、開口部２０ｃおよび胴部２０内部の大きさは、医療用具１２を取り出す際に、使用者の指が入る大きさであるのが好ましい。
【００２０】
また、図１（Ｃ）に示すように、胴部２０の内部には、医療用具１２を固定するための内容物固定部２８を有する。
内容物固定部２８は、胴部２０の内側方向に略台形状に突出する２つの突出部からなる。
図２（Ｂ）に示すように、内容物固定部２８は、医療用具１２の周面を対向する２つの突出部で二面から挾持して医療用具１２を固定する。すなわち、医療用具１２は、内容物固定部２８に嵌合して固定される。
【００２１】
第２のツバ部２２は、胴部２０の側面の底面側の位置に、側面から離間する方向に突出して設けられる、底面に平行な板状の部材である。
ここで、第２のツバ部２２が突出する方向は、後述するトップ材１６の第１のツバ部２６と同じ方向である。
ボトム材１４に、第１のツバ部２６と同じ方向に突出する第２のツバ部２２を設けることにより、使用者が包装体１０を開封する際に、ボトム材１４を把持する手で第２のツバ部２２を抑えることができ、開封を容易にすることができる。
この点に関しては、後に詳述する。
【００２２】
図示例においては、第２のツバ部２２の大きさは、幅方向を胴部２０の幅と略同等とし、突出方向の長さを幅方向の長さの略半分としたが、これに限定はされず、ボトム材１４を把持する手で第２のツバ部２２を抑えることができる大きさであればよい。
【００２３】
ここで、図示例においては、好ましい態様として、胴部２０の側面および第２のツバ部２２の表面には、線状の凸部が滑り止め部２０ａ、２２ａとして形成されている。滑り止め部２０ａ、２２ａは、凸部、凹部、あるいは、凹凸により形成されればよい。
【００２４】
また、図示例においては、好ましい態様として、胴部２０の、第２のツバ部２２とは反対側の側面に、把持用凹部２０ｂが形成されている。
把持用凹部２０ｂは、使用者がボトム材１４（胴部２０）を把持する際の指の位置に対応して、胴部２０の周方向に延在する凹部が複数、形成されてなる。
把持用凹部２０ｂを有することにより、使用者が包装体１０を開封する際に、胴部２０をより確実に把持することができ、開封を容易にすることができる。
【００２５】
なお、胴部２０および第２のツバ部２２は、一体的に作製してもよいし、各々別体として作製した後に、接着等により固定してもよい。
【００２６】
トップ材１６は、胴部２０の開口部２０ｃを覆って封止するシール部２４と、シール部２４から突出して設けられる第１のツバ部２６とを有する。
トップ材１６の材質には、特に限定はなく、従来、医療用具の包装体に用いられる樹脂等の、種々の公知の材料が利用可能である。
【００２７】
シール部２４は、フィルム状の部材であり、胴部２０の開口部２０ｃの全面を覆う大きさを有し、開口部２０ｃの縁に、剥離可能に接着されている。
シール部２４の接着方法には特に限定はなく、接着剤による接着、熱圧着、超音波シールや高周波シール等の、従来、医療用具の包装体で用いられる接着方法が利用可能である。
【００２８】
第１のツバ部２６は、使用者が包装体１０を開封する際に、つまむための部位であり、胴部２０に接着されたシール部２４から延在して形成されている。言い換えると、第１のツバ部２６は、胴部２０の側面から離間する方向に突出している。また、第１のツバ部２６は、第２のツバ部２２の突出方向と同じ方向に突出している。
第１のツバ部２６の大きさには特に限定はなく、包装体１０を開封する際に、確実につまんで開封できる大きさであればよい。図示例においては、第１のツバ部２６は、第２のツバ部２２と略同等の大きさである。
【００２９】
前述のとおり、一般的な包装容器において、トップ材（蓋材）の接着強度や接着領域の形状を調整し、包装容器を開封する際の剥離力を調整して、開封しやすくすることが行われている。
しかしながら、医療用具の包装体は、高齢者やリウマチ患者などの手が不自由な方が使用する可能性があり、接着力（剥離力）を調整するのみでは、容易に開封できないという問題があった。
【００３０】
これに対して、本発明の包装体１０は、トップ材が、ボトム材の胴部の側面から離間する方向に突出する第１のツバ部を有し、ボトム材が、胴部の側面の底面側の位置に形成され、第１のツバ部の突出方向と同じ方向に突出する第２のツバ部を備える構成を有する。
このように、ボトム材２２に第２のツバ部２２を設け、トップ材１６の第１のツバ部２６と第２のツバ部２２との突出方向を同じにすることにより、包装体１０を開封する際に、ボトム材１４を把持する手で、第２のツバ部２２を押さえて、ボトム材１４を確実に把持することができ、また、２つのツバ部が同じ方向に突出しているので、他方の手で第１のツバ部２６をつまんでトップ材１４を剥離させる際に、力を伝えやすいので、高齢者やリウマチ患者などの手が不自由な使用者であっても、容易に開封することができ、利便性を向上することができる。
また、２つのツバ部が同じ方向に突出しているので、開ける方向が分かりやすく、利便性を向上することができる。
【００３１】
なお、図示例においては、好ましい態様として、第２のツバ部２６は、孔部２６ａを有している。孔部２６ａを有することにより、医療用具を開封する際に、指を孔部２６ａに引っ掛けることができ、高齢者やリウマチ患者などの手が不自由な使用者であっても、より容易に開封することができる。
【００３２】
また、ボトム材の胴部は、開口部側が、伸縮可能な蛇腹形状に形成されていてもよい。
図３（Ａ）は、本発明の包装体の他の一例を概念的に表す斜視図であり、図３（Ｂ）は、図３（Ａ）のＣ−Ｃ線断面斜視図であり、図３（Ｃ）は、図３（Ａ）の蛇腹部が収縮した状態を示す概略断面図である。
なお、図３（Ａ）に示す包装体は、胴部に蛇腹部を有し、トップ材が蛇腹支持部を有する以外は、基本的に、図１（Ａ）に示す包装体と同様の構成を有するので、同じ部位には同じ符号を付し、以下の説明は異なる部位を主に行う。
【００３３】
図３（Ａ）に示す包装体３０は、蛇腹部３６を備える胴部３４および第２のツバ部２２を有するボトム材３２と、シール部２４、第１のツバ部２６および蛇腹支持部４０を備えるトップ材３８とを有する。
ボトム材３２の胴部３４には、胴部３４側面の、開口部２０ｃ側の領域に蛇腹部３６が形成される。図示例においては、胴部３４の約１／３の高さの領域に、蛇腹部３６が形成されている。
蛇腹部３６は、蛇腹形状に変形可能な部位である。蛇腹部３６は、高さ方向に伸縮するように形成されている。
ここで、図３（Ｂ）に示すように、蛇腹部３６は、開封前の状態では、収縮できないように、トップ材３８の蛇腹支持部４０に支持されている。一方、開封後の状態では、図３（Ｃ）に示すように、蛇腹部３６は、収縮可能となる。
【００３４】
トップ材３８は、シール部２４の、ボトム材３２側の表面に、蛇腹支持部４０を有する。
図３（Ｂ）に示すように、蛇腹支持部４０は、胴部３４の開口部２０ｃの内径と略同等の外径を有する筒状の部材である。蛇腹支持部４０は、蛇腹部３６の高さと略同等の高さを有し、蛇腹部３６が形成された領域に対応する位置に配置される。
これにより、前述のとおり、蛇腹支持部４０は、未開封時に蛇腹部３６が収縮しないように、蛇腹部３６を支持する。
【００３５】
このように、ボトム材３２に蛇腹部３６を設けることにより、包装体３０を開封した後に、蛇腹部３６を収縮させて、胴部３４の高さを低くして、胴部３４内に収容された医療用具１２の先端を露出させて、取り出し性を向上させることができる。
【００３６】
また、ボトム材の胴部の開口部は、より大きく開口するように形成されていてもよい。
図４（Ａ）は、本発明の包装体の他の一例を概念的に表す斜視図であり、図４（Ｂ）は、図４（Ａ）の包装体の開封後の状態を表す斜視図である。
なお、図４（Ａ）に示す包装体は、開口部の大きさが異なる以外は、基本的に、図１（Ａ）に示す包装体と同様の構成を有するので、同じ部位には同じ符号を付し、以下の説明は異なる部位を主に行う。
【００３７】
図４（Ａ）に示す包装体５０は、胴部５６および第２のツバ部２２を備えるボトム材５２と、シール部５８および第１のツバ部２６を備えるトップ材５４とを有する。
図４（Ａ）および図４（Ｂ）に示すように、ボトム材５２の胴部５６は、略角柱筒形状で、上面と１つの側面とが開放する形状である。言い換えると、胴部５６は、底面と、底面に立設する３つの側面とを有する形状であり、上面から他の１つの側面にかけて形成される開口部５６ｂを有する。また、開口部５６ｂは、第２のツバ部２２とは反対側の側面に形成される。
なお、図示例においては、開放する側面とは反対側の側面は、幅方向に湾曲した曲面に形成されている。
【００３８】
トップ材５４は、ボトム材５２（胴部５６）の開口部５６ｂの全面を覆う大きさのシール部５８を有する。すなわち、シール部５８は、胴部５６の上面および１つの側面に形成された開口部５６ｂの形状に対応して、湾曲して配置されるフィルム状の部材である。シール部５８は、開口部５６ｂの縁に剥離可能に接着される。
【００３９】
このように、ボトム材５２に形成される開口部５６ｂを大きくすることにより、内部に収容された医療用具の取り出し性をより向上することができる。
【００４０】
さらに、トップ材に医療用具の支持部を設けて、開封した際に、医療用具がボトム材から迫り出すようにしてもよい。
図５（Ａ）は、本発明の包装体の他の一例を概念的に表す断面斜視図であり、図５（Ｂ）は、開封した状態を示す概略断面図である。
なお、図５（Ａ）に示す包装体は、トップ材が内容物支持部を有する以外は、図４（Ａ）に示す包装体と同様の構成を有するので、同じ部位には同じ符号を付し、以下の説明は異なる部位を主に行う。
【００４１】
トップ材６２は、シール部５８と、第１のツバ部２６と、内容物支持部６４とを有する。
図５（Ａ）に示すように、内容物支持部６４は、密閉時に、ボトム材５２（胴部５６）の内側底面に重なるように、シール部５８の下端部側に、胴部５６の内側方向に突出して形成される板状部材である。医療用具１２が収容される際には、医療用具は、内容物支持部６４上に配置される。
なお、図示例においては、シール部５８と内容物支持部６４との固定を補強する補強部材として、及び、内容物の転がり防止の目的で補強部材が側面側に形成されている。
【００４２】
図５（Ｂ）を用いて、包装体６０の作用を説明する。
図５（Ｂ）に示すように、包装体６０を開封すると、剥離したトップ材６２に追従して、内容物支持部６４が底辺（シール部５８の底面側の端辺）を軸として回転し、内容物支持部６４上の医療用具１２が、胴部５６から外側に迫り出す。
これにより、内部に収容された医療用具の取り出し性をより向上することができる。
【００４３】
以上、本発明の医療用具包装体について詳細に説明したが、本発明は、上記実施形態に限定されるものではなく、本発明の要旨を逸脱しない範囲において、各種の改良や変更を行ってもよい。
【符号の説明】
【００４４】
１０、３０、５０、６０  医療用具包装体
１２    医療用具
１４、３２、５２  ボトム材
１６、３８、５４、６２  トップ材
２０、３４、５６  胴部
２０ａ、５６ａ  滑り止め部
２０ｂ  把持用凹部
２０ｃ  開口部
２２    第２のツバ部
２２ａ  滑り止め部
２４、５８  シール部
２６    第１のツバ部
２６ａ  孔部
２８    内容物固定部
３６    蛇腹部
４０    蛇腹支持部
５６ｂ  開口部
６４    内容物支持部
【図１】
2015112256.tif 000003
【図２】
2015112256.tif 000004
【図３】
2015112256.tif 000005
【図４】
2015112256.tif 000006
【図５】
2015112256.tif 000007